(57)【要約】ＯＦＤＭ受信機におけるＦＦＴウインドウの位置決め方法並びに本方法を実行する電子装置およびコンピュータプログラム製品を開示する。本方法が含むのは、受信ＯＦＤＭ信号の１つまたは複数のＯＦＤＭシンボルに関するＦＦＴウインドウの位置を決定するステップ、ＦＦＴウインドウの位置を使用して受信ＯＦＤＭ信号から第１のＯＦＤＭシンボルを取得するステップ、および第１のＯＦＤＭシンボルにＦＦＴを適用してＦＦＴ出力信号を作成するステップである。本方法がまた含むのは、ＦＦＴ出力信号の周波数依存位相ローテーション成分を判定するステップおよびＦＦＴ出力信号から判定された周波数依存位相ローテーション成分を除去して補償済みＦＦＴ出力信号を取得するステップである。ＦＦＴ出力信号および補償ＦＦＴ出力信号の少なくとも１つに基づき遅延拡散推定を計算し、少なくとも判定された周波数依存位相ローテーション成分および計算された遅延拡散推定結果に基づきＦＦＴウインドウの位置を調整する。
2011507323.tif 000002
【特許請求の範囲】
【請求項１】
直交周波数分割多重化（ＯＦＤＭ）受信機における高速フーリエ変換（ＦＦＴ）ウインドウの位置決め方法であって、
受信ＯＦＤＭ信号の１つまたは複数のＯＦＤＭシンボルに関する前記ＦＦＴウインドウの位置を決定するステップ（６１０、７１０）と、
前記ＦＦＴウインドウの前記位置を使用して前記受信ＯＦＤＭ信号から第１のＯＦＤＭシンボルを取得するステップ（６２０、７２０）と、
前記第１のＯＦＤＭシンボルにＦＦＴを適用してＦＦＴ出力信号を作成するステップ（６４０、７４０）と
を含み、
前記ＦＦＴ出力信号の周波数依存位相ローテーション成分を判定するステップ（６５０、７５０）と、
前記ＦＦＴ出力信号から前記判定された周波数依存位相ローテーション成分を除去して補償済みＦＦＴ出力信号を取得するステップ（６３０、７６０）と、
前記ＦＦＴ出力信号および前記補償済みＦＦＴ出力信号の少なくとも１つに基づき遅延拡散推定値を計算するステップ（６７０、７７０）と、
少なくとも前記判定された周波数依存位相ローテーション成分および前記計算された遅延拡散推定結果に基づき前記ＦＦＴウインドウの前記位置を調整するステップ（６８０、７８０）と
を有することを特徴とする方法。
【請求項２】
前記ＦＦＴウインドウの前記調整された位置を使用して、前記第１のＯＦＤＭシンボルと同じか、または異なり得る第２のＯＦＤＭシンボルを前記受信ＯＦＤＭ信号から取得するステップ（６２０、７２０）と、
前記第２のＯＦＤＭシンボルにＦＦＴを適用するステップ（６４０、７４０）と
をさらに含むことを特徴とする請求項１に記載の方法。
【請求項３】
前記第２のＯＦＤＭシンボルに前記ＦＦＴを適用する前記ステップの前に前記判定された周波数依存位相ローテーション成分を除去する前記ステップ（６３０）を実行し、該ステップ（６３０）が前記判定された周波数依存位相ローテーション成分に基づく前記第２のＯＦＤＭシンボルのサンプルを再整列するステップを含むことを特徴とする請求項２に記載の方法。
【請求項４】
前記判定された周波数依存位相ローテーション成分を除去する前記ステップ（６３０）が、前記判定された周波数依存位相ローテーション成分に基づき前記第１のＯＦＤＭシンボルのサンプルを再整列するステップおよび前記第１のＯＦＤＭシンボルに前記ＦＦＴを再適用するステップを含むことを特徴とする請求項１または請求項２に記載の方法。
【請求項５】
前記判定された周波数依存位相ローテーション成分を除去する前記ステップ（７６０）を、前記第１のＯＦＤＭシンボルに前記ＦＦＴを適用する前記ステップの後に実行し、前記ステップ（７６０）が前記ＦＦＴ出力信号のサンプルをローテーション解除するステップを含むことを特徴とする請求項１または請求項２に記載の方法。
【請求項６】
前記ＦＦＴ出力信号および前記補償ＦＦＴ出力信号の少なくとも１つに基づき、前記受信ＯＦＤＭ信号を送信したチャネルの伝達関数を決定するステップをさらに含み、
遅延拡散推定を計算する前記ステップが、
前記伝達関数の実数成分および虚数成分の少なくとも１つのゼロクロス数を判定するステップと、
前記判定されたゼロクロス数に基づき前記遅延拡散推定を計算するステップと
を含むことを特徴とする請求項１乃至請求項５の何れか一項に記載の方法。
【請求項７】
前記周波数依存位相ローテーション成分を、平均周波数依存位相ローテーション成分のとおりに判定することを特徴とする請求項１乃至請求項６の何れか一項に記載の方法。
【請求項８】
少なくとも前記計算された遅延拡散推定結果に基づき前記ＦＦＴウインドウの幅を決定するステップ（６９０、７９０）をさらに含むことを特徴とする請求項１乃至請求項７の何れか一項に記載の方法。
【請求項９】
少なくとも前記計算された遅延拡散推定結果に基づき前記ＦＦＴウインドウの形を決定するステップ（６９０、７９０）をさらに含むことを特徴とする請求項１乃至請求項８の何れか一項に記載の方法。
【請求項１０】
コンピュータプログラム記録媒体であって、コンピュータが読み取り可能な媒体を含み、前記媒体上にプログラム命令を含むコンピュータプログラムを有し、前記コンピュータプログラムはデータ処理ユニットにロード可能であり、前記データ処理ユニットにより前記コンピュータプログラムを実行する場合、請求項１乃至請求項９の何れか一項に記載の方法をデータ処理ユニットに実行させるためのコンピュータプログラム記録媒体。
【請求項１１】
直交周波数分割多重化（ＯＦＤＭ）受信機における高速フーリエ変換（ＦＦＴ）ウインドウの位置決めを行う電子装置であって、
受信ＯＦＤＭ信号の１つまたは複数のＯＦＤＭシンボルに関するＦＦＴウインドウの位置を決定し、前記ＦＦＴウインドウの前記位置を使用して前記受信ＯＦＤＭ信号から少なくとも１つのＯＦＤＭシンボルを取得するＦＦＴウインドウ配置回路（８２０、９２０）と、
前記少なくとも１つのＯＦＤＭシンボルからＦＦＴ出力信号を作成するＦＦＴ回路（８３０、９３０）と、
遅延拡散推定を計算する少なくとも１つの遅延拡散推定器（８６０、９６０）と
を含み、
前記ＦＦＴ出力信号の周波数依存位相ローテーション成分を判定する回路（８４０、９４０）と、
前記ＦＦＴ出力信号から前記判定された周波数依存位相ローテーション成分を除去して補償ＦＦＴ出力信号を取得する回路（８５０、９２５）と、
前記ＦＦＴ出力信号および前記補償ＦＦＴ出力信号の少なくとも１つに基づき前記少なくとも１つの遅延拡散推定器（８６０、９６０）がさらに前記遅延拡散推定を計算し、
少なくとも前記判定された周波数依存位相ローテーション成分および前記計算された遅延拡散推定結果に基づき、前記ＦＦＴウインドウ配置回路（８２０、９２０）がさらに前記ＦＦＴウインドウの前記位置を調整するを特徴とする電子装置。
【請求項１２】
前記判定された周波数依存位相ローテーション成分を除去する前記回路（９２５）が、前記ＦＦＴウインドウ配置回路（９２０）および前記ＦＦＴ回路（９３０）に関連し、前記判定された周波数依存位相ローテーション成分に基づき前記少なくとも１つのＯＦＤＭシンボルのサンプルを再整列することを特徴とする請求項１１に記載の電子装置。
【請求項１３】
前記判定された周波数依存位相ローテーション成分を除去する前記回路（８５０）が、前記ＦＦＴ出力信号のサンプルをローテーション解除することを特徴とする請求項１１に記載の電子装置。
【請求項１４】
前記ＦＦＴ出力信号および前記補償ＦＦＴ出力信号の少なくとも１つに基づき、前記受信ＯＦＤＭ信号を送信したチャネルの伝達関数を決定する回路（８４０、８６０、８７０、９４０、９６０、９７０）をさらに含み、
前記少なくとも１つの遅延拡散推定器がさらに、
前記伝達関数の実数成分および虚数成分の少なくとも１つのゼロクロス数を判定し、
前記判定されたゼロクロス数に基づき前記遅延拡散推定を計算することを特徴とする請求項１１乃至請求項１３の何れか一項に記載の電子装置。
【請求項１５】
前記ＦＦＴ出力信号の周波数依存位相ローテーション成分を判定する前記回路（８４０、９４０）がさらに、前記周波数依存位相ローテーション成分を平均周波数依存位相ローテーション成分の通りに判定することを特徴とする請求項１１乃至請求項１４の何れか一項に記載の電子装置。
【請求項１６】
前記ＦＦＴウインドウ配置回路（８２０、９２０）がさらに、
少なくとも前記計算された遅延拡散推定結果に基づき前記ＦＦＴウインドウの幅を決定するすることを特徴とする請求項１１乃至請求項１５の何れか一項に記載の電子装置。
【請求項１７】
前記ＦＦＴウインドウ配置回路（８２０、９２０）がさらに、
少なくとも前記計算された遅延拡散推定結果に基づき前記ＦＦＴウインドウの形を決定するすることを特徴とする請求項１１乃至請求項１６の何れか一項に記載の電子装置。
【請求項１８】
前記装置が汎用移動通信システム長期エボリューション規格に準拠することを特徴とする請求項１１乃至請求項１７の何れか一項に記載の電子装置。
【請求項１９】
前記電子装置が、携帯またはハンドヘルド移動無線通信装置、移動無線端末、移動電話機（１０１０）、ペイジャー、コミュニケータ、電子オーガナイザ、スマートフォン、コンピュータ、埋め込み駆動装置、移動ゲームデバイス、時計または基地局（１０４０）であることを特徴とする請求項１１乃至請求項１８の何れか一項に記載の電子装置。
【発明の詳細な説明】
【技術分野】
【０００１】
本発明は一般に通信システムにおける受信信号処理分野に関する。より詳細には本発明はＯＦＤＭ受信機におけるＦＦＴウインドウの位置決めに関する。
【背景技術】
【０００２】
直交周波数分割多重化（ＯＦＤＭ）はアクセス技術であり、このアクセス技術を使用しているのは、ＩＥＥＥ８０２．１１ａおよびＩＥＥＥ８０２．１１ｇのような無線ローカル・エリア・ネットワーク（ＷＬＡＮ）並びにディジタル・ビデオ・ブロードキャスティング−地上波(ＤＶＢ−Ｔ)、ＤＶＢ−ハンドヘルド（ＤＶＢ−Ｈ）、地上ディジタル・マルチメディア・ブロードキャスティング（Ｔ−ＤＭＢ）およびディジタル・オーディオ・ブロードキャスティング（ＤＡＢ）のようなブロードキャストの種々の規格においてである。直交周波数分割多重化はまた、第３世代パートナシッププロジェクト（３ＧＰＰ）により公表された通信規格である、汎用移動通信システム−長期エボリューション（ＵＭＴＳ  ＬＴＥ）に選択されたアクセス技術でもある。
【０００３】
ＯＦＤＭでは、データを幾つかのサブキャリアで並列に送信し、サブキャリアは送信機における逆高速フーリエ変換（ＩＦＦＴ）および受信機における高速フーリエ変換（ＦＦＴ）の使用により効率的に実装することができる。ＦＦＴのサイズがＮであれば、その場合ＦＦＴの出力におけるＮ個のサンプルをＯＦＤＭシンボル（即ち、周波数領域ＯＦＤＭシンボル）と呼ぶ。Ｎの代表的値は６４（例えば、ＷＬＡＮで使用する）から８１９２（例えば、ＤＶＢ−Ｔで使用する）に亘り得る。とはいえこの範囲外の値もまた適用可能である。
【０００４】
無線通信では、送信信号と受信信号間に不一致が存在することが多い。この不一致は通常はマルチパスチャネルおよび雑音に起因し得る。信号を送信するマルチパス（複数経路）チャネルは信号に時間分散を招来することが多い。これが持ちうる影響は、種々の時間瞬間に送信するシンボルが受信機においてある程度相互に干渉し合うであろうことである。この現象を一般にシンボル間干渉（ＩＳＩ）と呼ぶ。ＯＦＤＭでは、サイクリックプレフィクス（ＣＰ）を使用し、少なくとも部分的にＩＳＩから生じる負の影響を緩和することができる。
【０００５】
サイクリックプレフィクスを持つ送信ＯＦＤＭ信号例の図を図１に示す。この図に示すのは、ＩＦＦＴの出力するＯＦＤＭシンボル１３０の最終部１２０をコピーし、そのコピーをシンボルの丁度前に付加することによりＣＰ１１０を作成できる方法である。従って送信(時間領域)ＯＦＤＭシンボルは実ＯＦＤＭシンボル（即ちＯＦＤＭシンボルの有用部）１３０およびＣＰ１１０を含む。
【０００６】
受信機側では、ＦＦＴによる信号の復調前にＣＰに対応する受信信号部を廃棄することになろう。信号の廃棄すべき部分およびＦＦＴに入力すべき部分の判断の問題を一般に時間同期と呼ぶ。従って時間同期は、通常は、可能な限り良好な性能を得るために信号をサンプリングする時期を見つける問題と見なされる。本願を通じて、時間同期はＦＦＴウインドウの配置または位置決めと見なされる。図２に、ＦＦＴウインドウ２１０の考えられる配置図を示す。図２にまた示すのは、ＣＰ２２０の開始部２３０がＩＳＩにより悪化していることである。
【０００７】
高い帯域幅効率が望ましい通信システムでは、通信チャネルの推定を有していると有利である。推定は一般に受信機のチャネル推定器において決定される。時間領域でチャネルを推定すれば、通信チャネルの推定はチャネルインパルス応答の推定を含むであろう。周波数領域でチャネルを推定すれば、推定はチャネル伝達関数の推定を含むであろう。広帯域符号分割多元接続（ＷＣＤＭＡ）のＵＭＴＳ規格の場合のように、通信システムが例えば直接拡散（ＤＳＳＳ）に基づく場合、チャネルは通常は時間領域で推定する。他方、システムがＯＦＤＭに基づく場合、通常は周波数領域でチャネルを推定するであろう。
【０００８】
チャネル推定は、良好な性能を得るために通信受信機内の最も重大なタスクの１つである。チャネル推定はまた、通常は受信機において多くの計算が集中するタスクの１つでもある。
【０００９】
チャネル推定を可能にする１つの手法は１つまたは複数の既知シンボルを送信し、これらのシンボルをチャネル推定に使用することである。ＵＭＴＳのコモン・パイロット・チャネル（ＣＰＩＣＨ）で行うように、既知シンボルを個別に送信することができる。ＵＭＴＳ−ＬＴＥのＯＦＤＭで行うように、既知シンボルを実データの中で送信することもできる。既知シンボルを一般にパイロットシンボル即ち参照シンボルと呼ぶ。
【００１０】
図３が示すのは、ＯＦＤＭシステムにおける送信信号の時間−周波数座標内のパイロットシンボル３１０ａ乃至３１０ｈの分布例である。図３は送信機におけるＩＦＦＴ処理前のＯＦＤＭ信号例を示す。対応する時間−周波数座標はＦＦＴ処理後の受信機に見られるであろう。図３においては、パイロットシンボル３１０ａおよび３１０ｂをＯＦＤＭシンボル３０１で送信し、ＯＦＤＭシンボル３０２、３０３および３０４はパイロットシンボルを含まず、パイロットシンボル３１０ｃおよび３１０ｄをＯＦＤＭシンボル３０５で送信することを指摘できる。さらに、パイロットシンボル３１０ａおよび３１０ｂはパイロットシンボル３１０ａおよび３１０ｂと比較して異なるサブキャリアで送信することも指摘できる。
【００１１】
チャネル推定に既知の方法を使用し、利用可能なパイロットシンボルが存在する位置でチャネルを推定した場合、時間−周波数座標の他の位置でチャネルをまた推定することもできる。この推定を実行する１つの方法は、周波数および時間またはそのいずれか一方における補間による。そのためには、パイロットシンボルの位置におけるチャネル推定の間の補間に使用することができる適切な補間フィルタを見つけることは、チャネル推定処理の設定の重要な部分であろう。
【００１２】
時間補間の場合、時間方向にチャネルが変化する速さに基づきフィルタを選択することができる。このタイプのチャネル変動は一般にチャネルのドップラー拡散と呼ぶ。同様に周波数補間の場合、チャネルの周波数選択性に基づきフィルタを選択することができる。周波数方向におけるこのチャネル変動はチャネルの遅延拡散(delay spread)により生じる。チャネルの遅延拡散とチャネルの選択性間には線形関係が存在する。
【００１３】
例えばパイロットシンボルの位置のチャネル推定値間補間にウィーナフィルタを使用すれば、時間および周波数双方におけるチャネルの相関関数に基づきフィルタパラメータを選択することができる。時間および周波数における相関関数はそれぞれドップラー拡散および遅延拡散から推定することができる。ドップラー拡散および遅延拡散の知識はまたより簡単なチャネル推定手法にも有用であろう。例えば、ドップラー拡散および遅延拡散を使用して、時間および周波数それぞれにおける補間に適するフィルタリング量を決定することができる。
【００１４】
従って重要なことは、ドップラー拡散および遅延拡散の正確な推定をすることである。例えば、チャネル推定および遅延拡散推定により受信機の最適動作、従って良好な復調動作を可能にするために重要なことはＩＳＩを回避することである。これを達成するのは、ＦＦＴウインドウを位置決めし、受信ＯＦＤＭシンボルをＦＦＴに供給する場合にＩＳＩが存在しないようにすることによる。
【００１５】
このためＦＦＴウインドウの位置決めはＯＦＤＭ受信機の重要な部分である。
【００１６】
米国特許第６、０５８、１２１号はＯＦＤＭシステム受信機の優れた高速フーリエ変換ウインドウの位置回復装置を開示する。ＦＦＴウインドウの位相誤りは位相変動のゼロクロス数の使用により調整する。
【００１７】
米国特許第６、８５３、６１６号はＦＦＴウインドウの位置回復受信機および方法を開示する。パイロット間位相差を検出、平均化および正規化し、正規化値の丸めにより得る値を使用してＦＦＴウインドウ位置のオフセットを制御する。
【００１８】
問題は、例えば時間分散（チャネルの遅延拡散）および雑音によりＦＦＴウインドウの配置が劣る、または誤りうることである。
【発明の概要】
【発明が解決しようとする課題】
【００１９】
従って、ＯＦＤＭ受信機におけるＦＦＴウインドウの位置決めの正確、低複雑度および堅牢な方法および装置の必要性がある。このような方法および装置は好ましくはまた性能における犠牲なく使用する低複雑度チャネル推定器を提供すべきである。
【００２０】
強調すべきはこの明細書で使用する場合、用語「含む／含んでいる」は記述する特徴、整数、ステップまたは構成要素の存在を明記すると解釈するが、１つまたは複数の他の特徴、整数、ステップ、構成要素または以上のグループの存在または追加を排除しないことである。
【００２１】
本発明の目的は、少なくとも幾つかの上記の不利を緩和し、ＯＦＤＭ受信機におけるＦＦＴウインドウの位置決めを改善する方法および装置を提供することである。
【課題を解決するための手段】
【００２２】
本発明の第１の態様によれば、これを達成するのは直交周波数分割多重化（ＯＦＤＭ）受信機における高速フーリエ変換（ＦＦＴ）ウインドウの位置決め方法による。本方法が含むのは、受信したＯＦＤＭ信号の１つまたは複数のＯＦＤＭシンボルに関するＦＦＴウインドウの位置を判断するステップ、ＦＦＴウインドウの位置を使用して受信ＯＦＤＭ信号から第１のＯＦＤＭシンボルを取得するステップおよびＦＦＴ出力信号を作成するために第１のＯＦＤＭシンボルにＦＦＴを適用するステップである。さらに本方法が含むのは、ＦＦＴ出力信号の周波数依存位相ローテーション成分を判定するステップおよびＦＦＴ出力信号から判定された周波数依存位相ローテーション成分を除去して補償済みＦＦＴ出力信号を取得するステップである。本方法がまた含むのは、ＦＦＴ出力信号および補償済みＦＦＴ出力信号の少なくとも１つに基づき遅延拡散の推定を計算するステップおよび少なくとも判定された周波数依存位相ローテーション成分および計算された遅延拡散の推定結果に基づきＦＦＴウインドウの位置を調整するステップである。
【００２３】
１つまたは複数の実施形態で、本方法がさらに含みうるのは、ＦＦＴウインドウの調整位置を使用して受信ＯＦＤＭ信号から第２のＯＦＤＭシンボルを取得するステップおよび第２のＯＦＤＭシンボルにＦＦＴを適用するステップである。第２のＯＦＤＭシンボルは第１のＯＦＤＭシンボルと同じかまたは異なりうる。これが有しうる利点は、より完全に位置決めしたＦＦＴウインドウを使用して第２のＯＦＤＭシンボルを取得し、これが次いでＩＳＩおよび雑音に対するより良好な堅牢さを提供することができることである。
【００２４】
幾つかの実施形態で、判定された周波数依存位相ローテーション成分を除去するステップは、第２のＯＦＤＭシンボルにＦＦＴを適用するステップの前に実行し、判定された周波数依存位相ローテーション成分に基づき第２のＯＦＤＭシンボルのサンプルを再整列するステップを含むことができる。
【００２５】
幾つかの実施形態で、判定された周波数依存位相ローテーション成分を除去するステップが含むのは、判定された周波数依存位相ローテーション成分に基づき第１のＯＦＤＭシンボルのサンプルを再整列するステップおよび第１のＯＦＤＭシンボルにＦＦＴを再適用するステップである。
【００２６】
幾つかの実施形態で、判定された周波数依存位相ローテーション成分を除去するステップは第１のＯＦＤＭシンボルにＦＦＴを適用するステップの後に実行し、ＦＦＴ出力信号のサンプルをローテーション除去するステップを含むことができる。
【００２７】
１つまたは複数の実施形態で、本方法がさらに含みうるのはＦＦＴ出力信号および補償済みＦＦＴ出力信号の少なくとも１つに基づき、受信ＯＦＤＭ信号を送信したチャネルの伝達関数を判断するステップであり、遅延拡散の推定を計算するステップが含みうるのは、伝達関数の実数成分および虚数成分の少なくとも１つのゼロクロス数を判定するステップおよび判定されたゼロクロス数に基づき遅延拡散の推定を計算するステップである。
【００２８】
本発明の幾つかの実施形態に従いＯＦＤＭ受信機のチャネル推定器で伝達関数を判断することができる。
【００２９】
幾つかの実施形態で、平均周波数依存位相ローテーション成分のとおりに周波数依存位相ローテーション成分を判定することができる。
【００３０】
本方法がさらに含みうるのは、本発明の幾つかの実施形態に従い、少なくとも計算された遅延拡散の推定結果に基づきＦＦＴウインドウの幅を決定するステップおよび少なくとも計算する遅延拡散の推定結果に基づきＦＦＴウインドウの形を決定するステップまたはそのいずれか一方である。これが有しうる利点は、受信ＯＦＤＭ信号のＯＦＤＭシンボルの処理により多くの信号エネルギーを利用し、従って処理性能を改善することができることである。
【００３１】
本発明の第２の態様はコンピュータプログラム製品であり、コンピュータプログラム製品はコンピュータの読むことができる媒体を含み、媒体上にプログラム命令を含むコンピュータプログラムを有し、コンピュータプログラムはデータ処理ユニットにロード可能であり、データ処理ユニットによりコンピュータプログラムを実行する場合、第１の態様による方法をデータ処理ユニットに実行させるようにする。
【００３２】
本発明の第３の態様はＯＦＤＭ受信機におけるＦＦＴウインドウの位置決め電子装置である。電子装置が含むのは、受信ＯＦＤＭ信号の１つまたは複数のＯＦＤＭシンボルに関するＦＦＴウインドウの位置を決定し、ＦＦＴウインドウの位置を使用して受信ＯＦＤＭ信号から少なくとも１つのＯＦＤＭシンボルを取得するＦＦＴウインドウ配置回路、少なくとも１つのＯＦＤＭシンボルからＦＦＴ出力信号を作成するＦＦＴ回路および遅延拡散の推定を計算する少なくとも１つの遅延拡散推定器である。電子装置がさらに含むのは、ＦＦＴ出力信号の周波数依存位相ローテーション成分を判定する回路および判定された周波数依存位相ローテーション成分をＦＦＴ出力信号から除去して補償済みＦＦＴ出力信号を取得する回路である。少なくとも１つの遅延拡散推定器はさらに、ＦＦＴ出力信号および補償済みＦＦＴ出力信号の少なくとも１つに基づき遅延拡散の推定を計算し、ＦＦＴウインドウ配置回路はさらに、少なくとも判定された周波数依存位相ローテーション成分および計算された遅延拡散の推定結果に基づきＦＦＴウインドウの位置を調整する。
【００３３】
第３の態様がさらに有することができるのは、本発明の第１の態様について以上で説明するような種々の特徴の何れかと同じかまたは対応する特徴である。
【００３４】
第３の態様による電子装置は幾つかの実施形態に従い汎用移動通信システム長期エボリューション規格に準拠することができる。
【００３５】
幾つかの実施形態で、電子装置でありうるのは携帯またはハンドヘルド移動無線通信装置、移動無線端末、移動電話機、ペイジャー、コミュニケータ、電子オーガナイザ、スマートフォン、コンピュータ、埋め込み駆動装置、移動ゲームデバイス、時計または基地局である。
【００３６】
本発明の実施形態の利点の１つはＦＦＴウインドウの位置決め方法および装置を提供することである。本発明の実施形態のさらなる利点はこれらの方法並びに装置が正確、堅牢であり、低複雑度を有することである。特に、時間分散および雑音に対する堅牢性並びにＦＦＴウインドウの劣るまたは誤った開始位置に対する堅牢性を達成する。
【００３７】
本発明のさらなる目的、特徴および利点は添付図面を参照する本発明の実施形態の以下の詳細な説明から明らかになるであろう。
【図面の簡単な説明】
【００３８】
【図１】図１は送信ＯＦＤＭ信号例を示す図である。
【図２】図２はＯＦＤＭシンボルのシンボル間干渉およびＦＦＴウインドウ配置例を示す図である。
【図３】図３はＯＦＤＭ信号のパイロットシンボル配置例を示す図である。
【図４】図４はＦＦＴウインドウの種々の配置例を示す図である。
【図５】図５はＦＦＴウインドウの種々の配置例を示す図である。
【図６】図６は本発明の幾つかの実施形態に従うＦＦＴウインドウの位置決め方法を示すフローチャートである。
【図７】図７は本発明の幾つかの実施形態に従うＦＦＴウインドウの位置決め方法を示すフローチャートである。
【図８】図８は本発明の幾つかの実施形態に従う受信機部を示すブロック図である。
【図９】図９は本発明の幾つかの実施形態に従う受信機部を示すブロック図である。
【図１０】図１０は無線リンクを通じて基地局サイトに接続する移動端末の概要前面図であり、移動端末および基地局またはそのいずれか一方は本発明の幾つかの実施形態に従う電子装置を含むことができる。
【発明を実施するための形態】
【００３９】
以下で本発明の幾つかの実施形態を提示することとし、ＦＦＴウインドウの位置をＯＦＤＭ受信機で決定し、調整する。幾つかの実施形態で、ＦＦＴウインドウの形および長さまたはそのいずれかもまた調整する。説明を通じて、本発明の実施形態例はＵＭＴＳ  ＬＴＥに焦点を当てることにする。とはいえ注記すべきは、これを行うのは説明を簡単化するためであり、決して本発明に対する限定ではないことである。逆に例えばＩＥＥＥ８０２．１１ａ、ＩＥＥＥ８０２．１１ｇ、ＷｉＭＡＸ（ＩＥＥＥ８０２．１６）、ＤＶＢ−Ｔ、ＤＶＢ−Ｈ、Ｔ−ＤＭＢおよびＤＡＢのようなＯＦＤＭに基づくその他の通信規格に等しく本発明の実施形態を適用することができる。
【００４０】
さらにパラメータが特定の英数値を有するＯＦＤＭシステムについて本発明の実施形態を説明することになろう。これを行うのは説明を簡単化し、本発明の実施形態の図示を容易にするためであり、決して本発明の範囲を限定することを意図しない。当業者に明らかなのは、本発明の実施形態がパラメータ値の他の選択に等しく適用できることである。
【００４１】
本発明の実施形態を図示するのに選択するパラメータは以下の通りである。サブキャリアの間隔は１５ｋＨｚであり、利用可能サブキャリア総数は（ＤＣで送信するサブキャリアを除き）１２００である。従って総占有帯域幅はおおよそ１８ＭＨｚになる。サブキャリアは、それぞれが１２のサブキャリアを含むリソースブロックに分割される。その上各リソースブロックは構成上７個のＯＦＤＭシンボルを含む。サンプリングレートは３０．７２ＭＨｚであり、ＦＦＴサイズはＮ＝２０４８である。
【００４２】
ＣＰ(同じＯＦＤＭシンボルまたは後続ＯＦＤＭシンボルの何れかのＣＰ)の一部を含むＦＦＴウインドウの配置はＦＦＴ出力に位相ドリフトを生じる。即ち同じＯＦＤＭシンボル内のＦＦＴ出力の異なるサブキャリアは異なる位相ドリフトを受ける。ＦＦＴ適用の後のＩＱ平面における伝達関数を調べる場合、この位相ドリフトはローテーション係数として現れる。注記すべきは、ローテーションが時間方向で見られる周波数オフセットの場合とは対照的に、ローテーションは周波数方向であることである。以下で、位相ドリフトを周波数依存位相ローテーションまたは略して位相ローテーションと呼ぶことにする。
【００４３】
周波数依存位相ローテーションの推定の解決策に伴う問題はローテーションの原因に関して区別がつかないことである。例えば原因は、大きな遅延拡散を伴うチャネルであるか、またはＯＦＤＭシンボルの有用部に関してＦＦＴウインドウを早くまたは遅く位置決めしたことでありうる。従って推定した位相ローテーションから得られる情報はＦＦＴウインドウの位置決めには適さず、ローテーションそれ自体の除去にのみ適し得る。
【００４４】
ＯＦＤＭ受信機で、ＦＦＴウインドウの配置を、遅延拡散の推定および周波数依存位相ローテーションの推定並びに除去とは分離して処理することができる。しかしながら相当の遅延拡散がある場合、適切な時間同期（ＦＦＴウインドウ配置）は取得が特に困難であり、遅延拡散により、および周波数依存位相ローテーションにより、またはそのいずれか一方により、ＦＦＴウインドウ配置は劣るか、または不正確でありうる。このためこれらのパラメータの考慮は本発明の実施形態に従うＦＦＴウインドウの位置決めを改善することができる。
【００４５】
本発明の実施形態に従い、ＯＦＤＭ信号の１つまたは複数のＯＦＤＭシンボルの位相の、サブキャリアに亘る変化の仕方を考慮して、ＦＦＴウインドウの配置およびチャネルの遅延拡散を推定する。シンボル帯域幅に亘る周波数依存位相ローテーションを判定し、補償することができる。幾つかの実施形態で、１つまたは複数のＯＦＤＭシンボルの平均値として周波数依存位相ローテーションを判定する。
【００４６】
周波数依存位相ローテーションを補償した１つまたは複数のＯＦＤＭシンボルの位相変動の考慮により、遅延拡散を例えば推定することができる。本発明の幾つかの実施形態によれば、周波数依存位相ローテーションおよび遅延拡散の推定を使用して、ＦＦＴウインドウの位置を決めることができる。
【００４７】
インパルス応答がどのように見えるかを推定することにより、チャネルの遅延拡散を取得することができる。これは例えばＦＦＴ処理に先立つ受信信号の処理を含むことができる。チャネルの遅延拡散とそのチャネルを選択できる程度との間の線形関係の使用により、チャネルの遅延拡散の推定結果を別途取得することができ、これは複雑度のより少ない遅延拡散推定手順になりえよう。
【００４８】
Ｋ．ウィトリサール（K. Witrisal）著「周波数領域のレベル交差率からのＲＭＳ遅延拡散の推定について」、ＩＥＥＥ通信技術レター、ｐｐ．２８７−２８９、２００１年７月は伝達関数の振幅レベル交差数の評価により、この線形関係を活用した方法を開示する。
【００４９】
米国特許公開第２００６／０１５９２０３Ａ１号はチャネル伝達関数の実数および虚数部の平均交差数の評価を含む遅延拡散推定の動作を開示する。この手法を一般にゼロクロスアルゴリズムと呼ぶ。
【００５０】
代理人書類整理番号Ｅ６８７４０１４４を有し、本願と同じ日付に出願のタイトル「遅延拡散推定方法および装置」を持つテレフォンアクチーボラゲット  エル  エム  エリクソンの欧州特許出願(公開)において、遅延拡散推定の計算原理例をまた開示している。
【００５１】
チャネルに時間分散がない、即ちチャネルが構成上単一経路を含むことを想定しよう。この場合何らＩＳＩを招来することなく、ＣＰの何処においてもＦＦＴウインドウを開始することができる。とはいえＩＳＩを回避するのであれば、ＦＦＴウインドウを後部に配置することはできない。このため、偶々ＦＦＴウインドウの配置が遅すぎ、その結果招来されるＩＳＩに対するマージンのため、ＦＦＴウインドウの開始は、通常ＣＰの最後のサンプルの数サンプル前に選択できる。
【００５２】
ＦＦＴウインドウを数サンプル必要以上に早く配置してもこの状態では何らＩＳＩを生じないが、この配置はＦＦＴの出力に周波数依存位相ローテーションを生じる。この位相ローテーションはチャネル推定を不必要に複雑にしうる。チャネル推定がある程度周波数方向の補間に基づけば、これは特に明らかである。さらに位相ローテーションは遅延拡散推定アルゴリズムを混乱させ、その精度を減じうる。それ故、チャネル推定および遅延拡散推定の実行前の位相ローテーション除去は、本発明の幾つかの実施形態によれば有利でありうる。指摘できることは、ＦＦＴウインドウ配置は遭遇するチャネルの振幅関数に影響せず、位相にのみ影響することである。
【００５３】
図４は受信ＯＦＤＭ信号４００を示し、これはＯＦＤＭシンボル４０３の有用部および対応するサイクリックプレフィクス（ＣＰ）４０５を含む。ＦＦＴウインドウ４１０、４２０、４３０、４４０の幾つかの異なる配置を、受信ＯＦＤＭシンボル４０３およびそのサイクリックプレフィクス４０５に関して図４に示す。
【００５４】
ＦＦＴウインドウ配置４１０はＯＦＤＭシンボル４０３の有用部と完全に同期しており、一方、ＦＦＴウインドウ配置４２０、４３０および４４０はＯＦＤＭシンボル４０３の有用部と完全には同期しない。配置４３０並びに４４０がシンボル間干渉を導くであろうが、それは、配置４３０および４４０が前のＯＦＤＭシンボル並びに後続ＯＦＤＭシンボルのサイクリックプレフィクスにそれぞれ重複するからである。配置４２０はしかしながらサイクリックプレフィクスのせいで適切である。配置４２０が幾つかの状態で望ましくさえありうるのは、シンボル間干渉および時間同期誤りのような誤りに対するマージンを配置４２０が招来するからである。ＦＦＴ入力を選択するために配置４２０を使用するのは、しかしながら以上で説明したようにＦＦＴ出力の伝達関数における位相ドリフトをもたらすであろう。
【００５５】
チャネルに時間分散があれば、即ちチャネルが異なる伝搬遅延のある幾つかの経路から成り、ＩＳＩが生じないようにＦＦＴウインドウを位置決めすれば、必然的に周波数依存位相ローテーションが存在するであろう。
【００５６】
このシナリオを図５に示す。この図では２つの経路を持つ時間分散のあるチャネルを通じてＯＦＤＭシンボルを受信する。従ってＯＦＤＭシンボルの２つのバージョン５１０および５２０を異なる時間に受信する。ＦＦＴウインドウをＦＦＴウインドウ配置５３０に示すように、即ちＦＦＴウインドウが受信バージョンのそれぞれの有用部の長い部分を等しく覆うように配置すれば、その場合位相ローテーションは生じない。とはいえ、ＦＦＴウインドウが後続ＯＦＤＭシンボルのＣＰの一部を覆うであろうから、ＩＳＩが生じる。このためこの状態では、ＩＳＩを回避するようにＦＦＴウインドウ配置５４０を選択することができる。このような配置は、バージョン５２０に関する配置により周波数依存位相ローテーションが生じることを意味する。
【００５７】
位相ローテーションに関するＦＦＴウインドウの配置の効果をさらに示すために、Ｈk,nがＯＦＤＭシンボルｋおよびサブキャリアｎのチャネルを表すとし、チャネルを極座標で、即ち振幅と位相として表そう:
Ｈk,n＝αk,n exp(jφk,n)。
【００５８】
チャネルが単一経路のみから構成される場合、ＦＦＴウインドウの開始はＩＳＩを招来することなくＣＰの何処においても可能である。ＣＰのｌ個のサンプルを含む（かつＯＦＤＭシンボルの終わりのｌ個のサンプルを除外する）ようにＦＦＴウインドウを開始すれば、その場合ＦＦＴの出力で経験する実効チャネルは、
Ｈk,n＝αk,n exp(-j2πnl/N)
であり、ここでαはチャネルの減衰を表す複素定数(complex constant)である。単一経路チャネルの仮定により、減衰は全サブキャリアに対し同一である。従ってパラメータｌにより反映されるＦＦＴウインドウの位置に応じて、サブキャリアに亘る位相ローテーションは相当な量でありうる。
【００５９】
例えばＣＰの１００サンプルを使用する、即ちｌ＝１００のようにＦＦＴウインドウを配置すると想定しよう。その場合Ｎ個のサブキャリアに対する総ローテーションは１００回の完全ローテーション（２００π）であろう。１２個のサブキャリアを持つ１つのリソースブロックのみを考慮すると、リソースブロックの終わりにおけるサブキャリア間の位相ローテーションは１１・１００・２π／２０４８▲＝▼１．１πであろう。従って位相はリソースブロックに対し１８０度以上変化するであろう。
【００６０】
この位相ローテーションはＦＦＴウインドウの配置によるので、この位相ローテーションは全ＯＦＤＭシンボルに対し同一に留まることになり、それ故この位相ローテーションを推定し、例えば種々のサブキャリアを正確にローテーションさせることによりこの位相ローテーションをある程度補償することができる。
【００６１】
注記すべきは、ＦＦＴウインドウを遅すぎるように配置すれば、その場合位相ローテーションを補償した後にもシンボル間干渉（ＩＳＩ）が存在することである。
【００６２】
チャネルが複数経路チャネルである場合、受信信号は実際上送信信号の幾つかのバージョンを構成上含むことになり（図５と比較）、各バージョンには異なる遅延および異なる複雑な減衰がありうる。異なる経路から受信するバージョンは周波数に応じて構築的にも破壊的にも加わるので、チャネルは多かれ少なかれ周波数選択的に見えるであろう。遅延拡散が大きければ（例えば、チャネルインパルス応答持続時間が殆どＣＰのように長ければ）、チャネルは非常に周波数選択的であろう。遅延拡散が小さければ（例えば、インパルス応答持続時間がほんの数サンプルであれば）、その場合チャネルは使用する帯域幅に亘って比較的平坦に見えるであろう。
【００６３】
説明のため、チャネルが同じ強さの２つのタップのみを構成上含み、Ｔm秒（これはこの例ではｌサンプルに相当する）だけ離れ、いかなるＩＳＩも生じることなくＦＦＴウインドウを可能な限り遅く配置する（図５のＦＦＴウインドウ配置５４０と比較）と想定しよう。その場合チャネルの伝達関数は、
H(f)=1+exp(-j2πfTm)= 2exp(-jπfTm)cos(πfTm)
に等しくなることになり、サンプリング速度Ｔsおよびサブキャリアｎ（Ｔm＝ｌＴsで、ｆn＝ｎ／（ＮＴs））により表せば上式は、
H(fn)=2exp(-jπnl/N)cos(πnl/N)
となる。従ってこの例では、チャネルが単一経路チャネルであり、ＦＦＴウインドウをＣＰにｌ／２サンプル入れ込んで配置したのと同じ周波数依存位相ローテーションが存在するであろう。
【００６４】
このため位相ローテーションは、早く（または遅く）配置されたＦＦＴウインドウおよびチャネルの大きな遅延拡散またはそのいずれか一方により得る。
【００６５】
チャネルインパルス応答およびＦＦＴウインドウ配置が既知であれば、周波数依存位相ローテーションを計算することができる。とはいえ実際には、周波数依存位相ローテーションは推定しなければならないであろう。
【００６６】
幾つかの実施形態で、マルチパスチャネルの種々の経路が持つ重心の推定により平均位相ローテーションを判定することができる。
【００６７】
周波数依存位相ローテーションを推定する原理例はＷＯ２００６／１１１２７６Ａ１において開示されている。位相ローテーション総量を推定する方法が開示された。
【００６８】
平均周波数依存位相ローテーションに加えてチャネルがマルチパスチャネルであれば、不規則変動が存在しうる。これら不規則変動はサブキャリアに亘り振幅および位相双方の変動を生じうる。このような変動の性質はチャネルの遅延拡散に関連しうる。
【００６９】
以上に記述するように、Ｋ．ウィトリサール著「周波数領域のレベル交差率からのＲＭＳ遅延拡散の推定について」、ＩＥＥＥ通信技術レター、ｐｐ．２８７−２８９、２００１年７月は伝達関数の振幅レベル交差数を評価し、チャネルの遅延拡散を推定する方法を開示する。この手法がＦＦＴウインドウの配置に関する情報を提供できないのは、この手法が位相変動を考慮しないからである。そうであっても、この手法を本発明の幾つかの実施形態で使用し、チャネルの遅延拡散を推定することができる。従って本発明の幾つかの実施形態で、信号の振幅レベルの変動に基づき遅延拡散の推定を実行する。このアルゴリズムは平均周波数依存位相ローテーションとは独立であるので、周波数依存位相ローテーションの補償前後にこのアルゴリズムを実行することができる。
【００７０】
本発明の幾つかの実施形態で、周波数単位当たりの実軸および虚軸の少なくとも１つの伝達関数の軸交差数の評価により遅延拡散を推定する。この手法の結果は例えばＦＦＴウインドウの位置により生じる周波数依存位相ローテーションによる影響を受ける。このためこの遅延拡散推定アルゴリズムを使用する場合、好ましくは、必須ではないが、位相ローテーションを除去した後に遅延拡散推定を実行することになろう。
【００７１】
本発明の実施形態で、推定した位相ローテーションおよび遅延拡散推定結果を使用してＦＦＴウインドウの位置を調整する。推定した位相ローテーションは現在使用するＦＦＴウインドウの位置に関する情報を与える。遅延拡散推定はＩＳＩの回避に有用でありうる情報を与える。
【００７２】
遅延拡散がなければ、以上で説明するように、例えばＦＦＴウインドウがＣＰの中央で始まりＩＳＩに対する最大マージンを許容するようにＦＦＴウインドウを位置づけるのが有利であろう。別の例によれば、図４のＦＦＴウインドウ配置４１０にしたがってＦＦＴウインドウを配置することができる。本発明のさらなる実施形態では、早ければＣＰの開始時に、または記述した位置間の何処かにＦＦＴウインドウを配置することができる。
【００７３】
しかしながら遅延拡散があれば、例えば図５のＦＦＴウインドウ配置５４０に従うか、またはＩＳＩを招来するポイントまで、より早くＦＦＴウインドウを配置することができよう（また図２のＦＦＴウインドウ配置２１０も参照）。
【００７４】
本発明の幾つかの実施形態で、遅延拡散推定をまた使用してＦＦＴウインドウの長さおよび形またはそのいずれかを決定する。例えば遅延拡散がＣＰの持続時間より小さければ、その場合ＣＰの一部はそれ以前のシンボルにより干渉されないであろう。このような場合、ＦＦＴウインドウがＯＦＤＭシンボルの全ての有用部を含み、ＣＰの一部がそれ以前のシンボルにより干渉されないポイントまでＦＦＴウインドウを広げることができる。この手法を使用して受信機の性能をさらに高めることができるであろうが、それは、追加シンボルのエネルギーが利用可能になり、後続の処理に使用することができるからである。
【００７５】
ＦＦＴウインドウを広げる場合、ウインドウを正確に位置決めすることがさらに一層重要であろう。さらにチャネルの遅延拡散を正確に推定することがさらに重要であろう。
【００７６】
ＦＦＴウインドウを広げれば（それはＦＦＴウインドウに追加サンプルが含まれることを意味する）、本発明の幾つかの実施形態により一般に使用する煉瓦壁の形からＦＦＴウインドウプロファイルが離れるようにＦＦＴウインドウを形成することができる。例えば共にＩＥＥＥ車載技術会議論文集、２００６年秋、モントリオール、カナダのＭ．フォークナー、Ｌ．ウイルヘルムソンおよびＪ．スベンソン著「ＯＦＤＭシステムのドップラー性能を改善する低複雑度ＩＣＩ削除」およびＧ．ボトムリーおよびＬ．ウイルヘルムソン著「ＯＦＤＭシステムにおけるサイクリックプレフィクスの再ローテーション」に煉瓦壁の形の代替を見つけることができる。
【００７７】
本発明の幾つかの実施形態による方法をさらに例示するために、ＣＰの長さが１４４サンプルであり、Ｎが２０４８であると想定しよう。これらの実施形態に従いＦＦＴ前の信号に基づくあるアルゴリズムを使用して、最初にＦＦＴウインドウを配置することができる。このようなアルゴリズムは例えばＣＰとの相関に基づきうる。このような技術は周知であり、Ｊ．−Ｊ．ファンデビーク他著「複数ユーザＯＦＤＭのための時間および周波数同期方式」、通信の選択分野に関するＩＥＥＥジャーナル、１７巻１１号、１９９９年１１月に例を見つけることができる。この例で、煉瓦壁の形のウインドウを使用し、ｌ＝１０、即ちＣＰの１０サンプルをＦＦＴに供給するようにＦＦＴウインドウを配置すると想定しよう。その場合、受信機は以下に説明するように動作するであろう。
【００７８】
サブキャリアに亘る平均位相ローテーションを判定することができる。例えばこれを達成できるのは、スロットの第１のＯＦＤＭシンボルで送信するパイロットシンボルが持つ位相の考慮による。全帯域幅に亘りかなり大きな位相ローテーションが存在しうるので、２つの隣接参照信号間の平均位相ローテーションを考慮することができ、得られた値をＮにより乗算することができる。この例で平均位相ローテーションが５０・２πである、即ち位相ローテーションが５０の完全ローテーションに相当すると想定しよう。
【００７９】
次に平均位相ローテーションをＦＦＴの後に補償することができる。これを達成することができるのは、例えばＦＦＴ出力信号の周波数依存位相による乗算による。あるいはＦＦＴの実行前にＦＦＴウインドウの最初の５０サンプルをウインドウの終わりにシフトすることにより、平均ローテーションを除去することができる。平均位相ローテーションの補償は後続のＯＦＤＭシンボルに適用することができる。あるいはまたはさらに平均位相ローテーションの補償を現ＯＦＤＭシンボルに適用することができる。例えば後者の場合、現ＯＦＤＭシンボルでサンプルをシフトし、現ＯＦＤＭシンボルの処理の継続前にＦＦＴを再適用することができる。
【００８０】
除去する平均位相ローテーションにより、伝達関数の位相変動を判断することができる。これを行うことができるのは、例えば最低周波数のサブキャリアから最高周波数のサブキャリアへの移行時に実軸と虚軸が交差する回数の考慮による。この例で、ゼロクロス率（ＺＣＲ）とも呼ぶ単位帯域幅当たりの軸交差数とチャネルの遅延拡散τ間の関係がτ＝Ｃ・ＺＣＲである、即ち遅延拡散を帯域幅単位当たりの軸交差数に比例するとモデル化することを想定しよう。定数Ｃは遅延拡散の定義（例えば、二乗平均平方根（ｒｍｓ）遅延拡散、過剰遅延、最大遅延拡散、など）およびまた軸交差の計数に使用する方法にも依存する。幾つかの方法に従い、全軸交差を計数する。その他の方法に従い、実軸または虚軸交差のみを計数する。さらに他の方法に従い、代理人書類整理番号Ｅ６８７４０１４４を有し、本願と同じ日付に出願のタイトル「遅延拡散推定方法および装置」を持つテレフォンアクチーボラゲット  エル  エム  エリクソンの欧州特許出願(公開)において記載するようなヒステリシスを使用する。
【００８１】
説明のため、過剰遅延、即ちチャネルの最初の経路を上回る、そのチャネルの最後の経路の遅延として遅延拡散を定義するとしよう。この過剰遅延は、チャネルのインパルス応答持続時間として解釈できる。この遅延拡散の大きさは、最後の経路が最初の経路に比較して減衰するかに関する情報を含まない。
【００８２】
例において遅延拡散を２．６μｓに推定すると想定しよう。サンプリング周波数は３０．７２ＭＨｚであるので、これはおおよそ８０サンプルに相当する。一様遅延プロファイルを仮定すると、その場合ＣＰに関する元のＦＦＴウインドウの配置の仕方を推定することができる。８０サンプル分の遅延拡散および５０サンプルに相当する平均位相ローテーションが与えられているとすれば、これは、推定したＦＦＴウインドウ配置はＣＰ（ＣＰはこの例では厳密に正確に生じる）内に１０（５０−８０／２＝１０）サンプル入り込むことを意味する。
【００８３】
推定した遅延拡散および推定したＦＦＴウインドウ配置に基づき、ＦＦＴウインドウの配置を次いで調整することができる。さらにＦＦＴウインドウの形並びに長さは遅延拡散推定結果に応じて変動しうる。煉瓦壁の形のＦＦＴウインドウが好ましければ、以下の推論を使用して時間同期（即ち、ＦＦＴウインドウ配置）を更新することができる。
【００８４】
本例によれば、チャネルは１４４ＣＰサンプルの内８０サンプルに干渉を生じるのみであろう。ＩＳＩおよび推定誤りに対し時間同期を出来るだけ堅牢にするために、干渉により悪化しないＣＰの一部の中央でＦＦＴウインドウが始まるようにＦＦＴウインドウを配置することが出来る。ＩＳＩにより影響を受けない１４４−８０＝６４サンプルが存在するので、ＦＦＴウインドウの開始はＣＰ内に３２サンプル入り込み得る。このためＦＦＴウインドウはその現在の位置から左へ２２サンプル分移動することになろう。
【００８５】
この例からさらに進めて、本発明のさらなる実施形態を次に説明し、その中で周波数依存位相ローテーションおよび推定遅延拡散を使用してＦＦＴウインドウの位置を調整する。
【００８６】
以上で説明するように、ＦＦＴウインドウの配置はサブキャリアに亘る位相の変化に影響するであろう。例えばＦＦＴ出力で最低から最高までのサブキャリアを考慮すれば、１サンプル分だけＦＦＴウインドウをシフトすると位相の完全ローテーションのシフトを生じうる。本発明の幾つかの実施形態に従い、遅延拡散推定を始める前にサブキャリアに亘る平均位相ローテーションを推定、除去し、遅延拡散推定の性能を高めることができる。
【００８７】
本発明の幾つかの実施形態に従い、ＦＦＴウインドウ配置は既知であると仮定する。これらの実施形態で、ＦＦＴウインドウ配置による位相ローテーションはＦＦＴウインドウ配置の知識から直接取得でき、推定する必要はない。このようなシナリオの１つの例は、例えばＣＰとの相関に基づきうるプレＦＦＴアルゴリズムがＦＦＴウインドウを位置決めする場合である。その場合仮定しうるのは、タイミングおよび従って得られる周波数依存位相ローテーションが既知であることであり、位相ローテーションは従って最初に推定する必要なく補償することができる。
【００８８】
本発明の幾つかの実施形態で、ＩＱ平面における（ＦＦＴ出力信号に基づく）推定伝達関数のローテーション成分の調査により、早い（または遅い）ＦＦＴウインドウ配置およびチャネルの遅延拡散により生じる位相ローテーションを推定する。
【００８９】
本発明の他の実施形態で、位相−周波数図における伝達関数の平均傾斜の判断により、早い（または遅い）ＦＦＴウインドウ配置およびチャネルの遅延拡散により生じる位相ローテーションを推定する。例えば後続サブキャリア間の位相差を評価、平均化し位相ローテーションを判断することができる。
【００９０】
本発明の幾つかの実施形態で、推定位相ローテーションは平均位相ローテーションである。これらの実施形態で、１つのＯＦＤＭシンボルに対し（異なる、即ち周波数方向のサブキャリアに対し）、および幾つかの（即ち、時間方向の）ＯＦＤＭシンボルに対し、またはそのいずれか対し、平均を取ることができる。
【００９１】
本発明の幾つかの実施形態に従い、ＦＦＴウインドウのサンプルをＦＦＴに供給する順序の変更により、位相ローテーションを除去する。例えばＦＦＴウインドウを１サンプル分早く配置すれば（即ち、ＣＰの１サンプルを含み、ＯＦＤＭシンボル有用部の最後のサンプルを除外すると）、これはＮ個のサブキャリアに対し完全ローテーション（２π）を生じる。従ってＮ個のサブキャリアに対する完全ローテーション数（またはサブキャリア当たりの平均位相ローテーション）の推定により、ＦＦＴの適用前にシフトしなければならないサンプル数を判断することが出来る。ＦＦＴウインドウを早く配置したとすれば、ＯＦＤＭシンボルの始まりから終わりへ向けてサンプルをシフトする。ＦＦＴウインドウを遅く配置したとすれば、ＯＦＤＭシンボルの終わりから始まりへ向けてサンプルをシフトし、周波数依存位相ローテーションを除去することができる。とはいえ注意すべきは、後者の場合位相ローテーションの除去後もＩＳＩおよびキャリア間干渉（ＩＣＩ、inter-carrier interference）またはそれらのいずれか一方が重大な問題を残すことである。
【００９２】
本発明の他の実施形態に従い、ＦＦＴの出力において信号を周波数依存位相に乗ずることにより、即ち信号のローテーション解除により、位相ローテーションを除去する。例えば、ｎがｎ番目のサブキャリアを表し、εが上述した位相ローテーションに基づき推定されている場合のｅｘｐ（ｊ２πｎε／Ｎ）のような、ＦＦＴ出力信号に周波数依存位相を乗ずることにより、信号をローテーション解除することができる。位相ローテーションが、全く誤って配置されたＦＦＴウインドウに起因する場合、εはサンプル数でｌ個分のＦＦＴウインドウオフセットである。
【００９３】
次いで任意の遅延拡散推定アルゴリズムにより、位相ローテーション除去後の信号に基づき遅延拡散を推定することができる。幾つかの実施形態で、例えば実軸および虚軸双方（または実軸および虚軸の１つ）の軸（ゼロ）交差総数を計数し、遅延拡散推定はゼロクロス数に基づく。チャネルの遅延拡散τは例えばτ＝Ｃ・ＺＣＲとして推定することができ、ここでＺＣＲは周波数単位当たりの交差数で測定するゼロクロス率である。パラメータＣは例えばシミュレーションにより推定することができる。
【００９４】
代替実施形態で、位相ローテーション除去前または後の何れかの信号に基づき、遅延拡散を推定することができる。位相ローテーション除去前の信号に基づく遅延拡散推定は、以上で説明するようにチャネルの位相変動に基づかない遅延拡散推定アルゴリズムに基づくことができる。
【００９５】
図６は本発明の幾つかの実施形態に従いＦＦＴウインドウの位置を調整する方法例６００を説明するフローチャートである。ステップ６１０で受信ＯＦＤＭ信号に含むＯＦＤＭシンボルに関して、ＦＦＴウインドウの初期配置を判定する。本方法は１つまたは複数のＯＦＤＭシンボルを使用してＦＦＴウインドウ配置を判定することができる。ＦＦＴウインドウ配置を判定する場合、本方法は例えばシンボル間干渉の予測または推定量を考慮することができる。ＦＦＴウインドウ配置を判定する場合、本方法はまた以前の遅延拡散推定結果も使用することができる。ステップ６１０のＦＦＴウインドウの配置はＦＦＴ前アルゴリズムにより実行することができる。
【００９６】
ＦＦＴウインドウ配置を判定する前に、周波数オフセットを推定し、補償することができる。例えばＣＰに関する相関により、またはＵＭＴＳ−ＬＴＥのＳＣＨのような同期チャネルの利用により推定を行うことができる。周波数オフセット補償を達成することができるのは、例えばディジタルローテータによるか、またはアナログ領域における電圧制御発振器（ＶＣＯ）へのフィードバックによる。このような動作はまた当技術でも周知である。
【００９７】
次いでＦＦＴウインドウの初期位置をステップ６１０で例えばＣＰとの相関を通じて見つける。このような方法は当技術では周知であり、Ｊ．−Ｊ．ファンデビーク他著「複数ユーザＯＦＤＭのための時間および周波数同期方式」、通信の選択分野に関するＩＥＥＥジャーナル、１７巻１１号、１９９９年１１月に例を見つけることができる。チャネル状態のような種々の状況に応じて、初期位置は良好であるか、または調整を必要としよう。この段階におけるＦＦＴウインドウの配置に関する要件は、ＦＦＴ後の有用な信号処理を許容するのに配置が十分良好であるべきということであろう。例えば許容しうるＩＳＩ量に関する要件が存在するであろう。
【００９８】
ＦＦＴウインドウ配置をステップ６１０で判断した場合、本方法はステップ６２０に継続し、ここで判定されたＦＦＴウインドウ配置をＯＦＤＭ信号に適用してＯＦＤＭシンボルを取得する。このＯＦＤＭシンボルは、ステップ６１０でＦＦＴウインドウ配置を判定するのに使用したのと同じＯＦＤＭシンボル（または２つ以上のＯＦＤＭシンボルをステップ６１０で使用したならばステップ６１０で使用するＯＦＤＭシンボルの１つ）でありうるか、またはこのＯＦＤＭシンボルは後続のＯＦＤＭシンボルでありうる。以上で説明するように周波数依存位相ローテーションを推定したならば、ステップ６３０の周波数依存位相ローテーション推定結果に基づきＦＦＴウインドウのサンプルを再整列する。周波数依存位相ローテーション推定結果がまだ存在しなければ、ステップ６３０を単にバイパスする。
【００９９】
ステップ６４０でＯＦＤＭシンボルの（恐らく再整列された）サンプルに高速フーリエ変換（ＦＦＴ）を適用し、ＦＦＴ計算の信号出力を使用し、以上で説明するような方法を使用してステップ６５０で周波数依存位相ローテーションを判定する。幾つかの実施形態で、平均周波数依存位相ローテーションを判定する。判定された周波数依存位相ローテーションをステップ６３０に入力し、後続ＯＦＤＭシンボルの処理において、または同じＯＦＤＭシンボルのさらなる処理に使用することができる。幾つかの実施形態で、処理はステップ６３０に戻り、ここで考慮するＯＦＤＭシンボルのサンプルを再整列し、次いでステップ６４０でＯＦＤＭシンボルにＦＦＴを再適用し、その後ステップ６７０でＯＦＤＭシンボルの処理を継続する。
【０１００】
ステップ６５０の周波数依存位相ローテーションの判定は例えばチャネル伝達関数の推定形式のチャネル推定結果に基づきうる。チャネル推定は例えばＯＦＤＭシンボルの（存在すれば）パイロットシンボルから計算することができる。このような場合、パイロットシンボルの位置を判定しなければならない。図３の例で、パイロットシンボルはスロットの第１のおよび第５のＯＦＤＭシンボルにおいてのみ利用可能である。従ってそのような場合、任意の利用可能なパイロットシンボルが存在するかを知るために、現在処理しているＯＦＤＭシンボルを知らなければならない。時間−周波数座標におけるパイロットシンボルの位置に関する知識により、当技術において周知の方法を使用してこれらの位置に対するチャネルを推定することが出来る。幾つかの実施形態で、チャネル推定は、（代替としてまたはさらに）ＯＦＤＭシンボルの非パイロットシンボルに基づくことができる。
【０１０１】
次いでステップ６７０で、チャネル推定結果を使用してチャネルの遅延拡散を推定し、ステップ６８０で少なくとも遅延拡散推定および判定された周波数依存位相ローテーションに基づき、ＦＦＴウインドウの位置を調整する。オプションのステップ６９０で、ＦＦＴウインドウの長さおよび形またはそのいずれか一方を少なくとも推定する遅延拡散に基づき調整することができる。
【０１０２】
次いで本方法はステップ６２０に戻り、ここで調整するＦＦＴウインドウの位置を使用して新しいＯＦＤＭシンボルの処理を開始する。あるいはステップ６２０に戻る場合、調整されたＦＦＴウインドウの処理を使用して本方法は同じＯＦＤＭシンボルを再処理し、そのＯＦＤＭシンボルの復調性能を高めることができる。
【０１０３】
本発明の幾つかの実施形態に従い、ＦＦＴウインドウの位置を調整する方法例７００を示すフローチャートである代替解決策を図７に示す。図６のそれぞれステップ６１０および６２０と同じように、ステップ７１０およびステップ７２０はＦＦＴウインドウ配置を判断し、ＯＦＤＭ信号にＦＦＴウインドウを適用することができる。
【０１０４】
次いでステップ７４０でＦＦＴウインドウのＯＦＤＭシンボルが持つサンプルにＦＦＴを適用し、以上で説明するような方法を使用して、ＦＦＴ計算の出力信号を使用してステップ７５０で周波数依存位相ローテーションを判定する。ステップ７６０で、判定された周波数依存位相ローテーションをＦＦＴ出力信号から除去する。例えばＦＦＴ出力信号はローテーション解除処理を受け、周波数依存位相ローテーションを除去することができる。
【０１０５】
次いでステップ７７０で以上に説明するような方法を使用して、チャネルの遅延拡散を推定する。前に説明したようにローテーション解除ＦＦＴ出力を使用するか、またはローテーション解除前のＦＦＴ出力を使用して、遅延拡散推定を実行することができる。ステップ７８０で少なくとも遅延拡散推定および判定された周波数依存位相ローテーションに基づき、ＦＦＴウインドウの位置を調整する。オプションのステップ７９０で、ＦＦＴウインドウの長さおよび形またはそのいずれか一方を少なくとも推定する遅延拡散に基づき調整することができる。
【０１０６】
次いで本方法はステップ７２０に戻り、ここで調整されたＦＦＴウインドウの位置を使用して新しいＯＦＤＭシンボルの処理を開始する。あるいはステップ７２０に戻る場合、本方法は調整されたＦＦＴウインドウの処理を使用して同じＯＦＤＭシンボルを再処理し、そのＯＦＤＭシンボルの復調性能を高めることができる。
【０１０７】
図６および図７により説明したもののような幾つかの実施形態で、各ＯＦＤＭシンボルに対し、またはただ幾つかのＯＦＤＭシンボル（例えば、パイロットシンボルを含むもの）に対し、周波数依存位相ローテーションの判定を実行することができる。ただ幾つかのＯＦＤＭシンボルに対し判定を実行する場合、判定された値は判定が行われていないＯＦＤＭシンボルにも使用することができる。同じ原理を遅延拡散推定に適用する。
【０１０８】
さらに強調するのは、図６および図７に関して説明した処理全体を単一のＯＦＤＭシンボルを使用して実行することができることである。従ってこの場合、ＦＦＴウインドウの初期配置、周波数依存位相ローテーションの判定およびＦＦＴ適用後の遅延拡散推定の計算に、同じＯＦＤＭシンボルを使用する。他の実施形態で、異なるまたは複数のＯＦＤＭシンボルを異なる処理段階で使用することができる。
【０１０９】
データと組み合わせて送信するパイロットシンボルを使用して遅延拡散を推定した状態について、幾つかの本発明の実施形態を説明した。例えば図３に示すようにパイロットシンボルを配置する場合これは適切な手法であろうが、本発明のこれらの実施形態は決してこの状態に限定しない。パイロットシンボルが利用できなければ、また他の状態でも、位相ローテーションの判定および遅延拡散推定は、時間−周波数座標の他の位置におけるチャネル推定に基づくことができる。さらに利用可能なパイロットシンボルが存在し、パイロットシンボル間の１つまたは複数のサブキャリアに対してもチャネル推定した場合、位相ローテーションの判定および遅延拡散推定の計算にもこれらの追加チャネル推定結果を使用することができる。
【０１１０】
図８は本発明の幾つかの実施形態に従うＯＦＤＭ受信機例８００の一部を示すブロック図である。受信機例８００は例えば電子装置の一部であり得、図７に提示するような１つまたは複数の方法のステップを実行することができる。
【０１１１】
受信機例８００で、１本または複数本のアンテナ８０５により、１つまたは複数のＯＦＤＭシンボルを含むＯＦＤＭ信号を受信し、無線周波数フロントエンド８０８により処理（例えば、フィルタリング、増幅、ベースバンド信号へ降下混合）し、Ａ／Ｄコンバータ８１０によりディジタル信号に変換する。
【０１１２】
受信機例で、Ａ／Ｄコンバータ８１０はブロック８２０に接続され、ブロック８２０はＯＦＤＭシンボルに関しＦＦＴウインドウの位置を決定する時間同期ユニットのようなＦＦＴウインドウ配置回路を含む。
【０１１３】
ＦＦＴウインドウ配置回路８２０の出力はブロック８３０に接続され、ブロック８３０はＦＦＴ出力信号を作成するＦＦＴ計算ユニットのようなＦＦＴ回路を含む。ＦＦＴ回路８３０の出力はブロック８４０に接続され、ブロック８４０はＦＦＴ出力信号の周波数依存位相ローテーション成分を判定する位相ローテーション推定器のような回路を含む。位相ローテーション推定器８４０はまた周波数依存位相ローテーション成分の判定に使用するチャネル推定を計算することもできる。あるいはチャネル推定ユニット８７０または遅延拡散推定器８６０のような別のブロックから、位相ローテーション推定器８４０はこのようなチャネル推定結果を受信することができる。ブロック８４０はブロック８５０に接続され、ブロック８５０はＦＦＴ出力信号から判定された周波数依存位相ローテーション成分を除去するローテーション解除器のような回路を含む。例えばＦＦＴ出力信号のサンプルのローテーション解除により、判定された周波数依存位相ローテーションを除去することができる。
【０１１４】
ブロック８５０はブロック８６０に接続され、ブロック８６０は遅延拡散推定器のような遅延拡散推定回路を含む。遅延拡散推定回路８６０はローテーション解除ＦＦＴ出力信号に基づき遅延拡散推定を計算する。遅延拡散推定回路８６０はまた遅延拡散推定の計算に使用するチャネル推定を計算することもできる。あるいはチャネル推定ユニット８７０または位相ローテーション推定器８４０のような別のブロックから、遅延拡散推定器８６０はこのようなチャネル推定結果を受信することができる。遅延拡散推定回路８６０はまた推定遅延拡散または遅延拡散推定アルゴリズムの他のパラメータをフィルタリングするフィルタ８６５を含むこともできる。幾つかの実施形態で、フィルタ８６５はブロック８６０に接続する個別ブロックとして実装する。
【０１１５】
ローテーション解除器８５０の出力はまたブロック８７０にも接続され、ブロック８７０はチャネル推定器のようなチャネル推定ユニットを含む。従ってこの例で、チャネル推定器はローテーション解除ＦＦＴ出力信号に基づきチャネル推定を計算する。他の例で、チャネル推定器はローテーション解除前のＦＦＴ出力信号に基づきチャネル推定を計算することができる。この受信機例で、チャネル推定ユニットはまた遅延拡散推定結果を出力するブロック８６０にも接続される。少なくとも補償済みＦＦＴ出力信号および遅延拡散推定結果に基づき、チャネル推定ユニットはチャネルを推定することができる。他の実施形態で、少なくともＦＦＴ出力信号および遅延拡散推定結果に基づき、チャネル推定ユニットはチャネルを推定することができ、判定された周波数依存位相ローテーション成分を考慮することもできる。チャネル推定ユニット８７０はＯＦＤＭ信号の時間−周波数座標の幾つかまたは全ての位置のチャネルを推定することができる。特に、チャネル推定ユニット８７０はパイロット位置のチャネル推定結果を判定し、これらのチャネル推定結果を補間し、非パイロット位置のチャネル推定結果を取得することができる。
【０１１６】
チャネル推定ユニット８７０はブロック８８０に接続され、ブロック８８０は等価器を含み、等価器の出力を８９０で示すようにさらに処理する回路に転送する。
【０１１７】
この実施例で、ＦＦＴウインドウ配置回路８２０は、ブロック８６０から遅延拡散推定結果を、ブロック８４０から判断する周波数依存位相ローテーション成分を受信し、これらのパラメータを使用してＦＦＴウインドウの位置を調整する。ＦＦＴウインドウ配置回路８２０はまた遅延拡散推定結果および、場合により判定された周波数依存位相ローテーション成分を使用してＦＦＴウインドウの長さおよび形またはそのいずれか一方を調整することもできる。
【０１１８】
図９は本発明の幾つかの実施形態に従うＯＦＤＭ受信機例９００の一部を示すブロック図である。受信機例９００は例えば電子装置の一部であってよく、図６に提示するように１つまたは複数の方法のステップを実行するようにできる。
【０１１９】
受信機例９００で、１つまたは複数のＯＦＤＭシンボルを含むＯＦＤＭ信号は、１本または複数本のアンテナ９０５により受信され、無線周波数フロントエンド９０８により処理（例えば、フィルタリング、増幅、ベースバンド信号へダウンミックス）され、Ａ／Ｄコンバータ９１０によりディジタル信号に変換される。
【０１２０】
受信機例で、Ａ／Ｄコンバータ９１０はブロック９２０に接続され、ブロック９２０はＯＦＤＭシンボルに関しＦＦＴウインドウの位置を判定する時間同期ユニットのようなＦＦＴウインドウ配置回路を含む。
【０１２１】
ＦＦＴウインドウ配置回路９２０の出力はブロック９２５に接続され、ブロック９２５は、周波数依存位相ローテーション推定結果に基づきＦＦＴウインドウ配置回路から出力されるサンプルを再整列する再配列回路を含む。
【０１２２】
ブロック９２５の出力はブロック９３０に接続ｓれ、ブロック９３０はＦＦＴ出力信号を作成するＦＦＴ計算ユニットのようなＦＦＴ回路を含む。ＦＦＴ回路９３０の出力はブロック９４０に接続され、ブロック９４０はＦＦＴ出力信号の周波数依存位相ローテーション成分を判定する位相ローテーション推定器のような回路を含む。位相ローテーション推定器９４０はまた周波数依存位相ローテーション成分の判定に使用するチャネル推定を計算することもできる。あるいはチャネル推定ユニット９７０または遅延拡散推定器９６０のような別のブロックから、位相ローテーション推定器９４０はこのようなチャネル推定結果を受信することができる。ブロック９４０の出力はブロック９２５に接続する。
【０１２３】
ＦＦＴ回路９３０はまたブロック９６０に接続し、ブロック９６０は遅延拡散推定器のような遅延拡散推定回路を含む。遅延拡散推定回路９６０はＦＦＴ出力に基づき遅延拡散推定を計算する。遅延拡散推定回路９６０はまた遅延拡散推定の計算に使用するチャネル推定を計算することもできる。あるいはチャネル推定ユニット９７０または位相ローテーション推定器９４０のような別のブロックから、遅延拡散推定回路９６０はこのようなチャネル推定結果を受信することができる。遅延拡散推定回路９６０はまた、推定遅延拡散または遅延拡散推定アルゴリズムの他のパラメータをフィルタリングするフィルタ９６５を含むこともできる。幾つかの実施形態で、フィルタ９６５をブロック９６０に接続する個別ブロックとして実装する。
【０１２４】
ＦＦＴ回路９３０の出力はまたブロック９７０にも接続され、ブロック９７０はチャネル推定器のようなチャネル推定ユニットを含む。この受信機例で、チャネル推定ユニットはまた遅延拡散推定結果を出力するブロック９６０にも接続される。少なくともＦＦＴ出力信号および遅延拡散推定結果に基づき、チャネル推定ユニットはチャネルを推定することができる。チャネル推定ユニットはまた決定した周波数依存位相ローテーション成分を考慮することもできる。チャネル推定ユニット９７０はＯＦＤＭ信号の時間周波数座標の幾つかまたは全ての位置のチャネルを推定することができる。特に、チャネル推定ユニット９７０はパイロット位置のチャネル推定結果を判定し、これらのチャネル推定結果を補間し、非パイロット位置のチャネル推定結果を取得することができる。
【０１２５】
チャネル推定ユニット９７０はブロック９８０に接続され、ブロック９８０は等価器を含み、等価器の出力を９９０で示すようにさらに処理する回路に転送する。
【０１２６】
この実施例で、ＦＦＴウインドウ配置回路９２０はブロック９６０から遅延拡散推定結果を、ブロック９４０から判定された周波数依存位相ローテーション成分を受信し、これらのパラメータを使用してＦＦＴウインドウの位置を調整する。ＦＦＴウインドウ配置回路９２０はまた遅延拡散推定結果および、場合により判定された周波数依存位相ローテーション成分を使用してＦＦＴウインドウの長さおよび形またはそのいずれか一方を調整することもできる。
【０１２７】
図８および図９で、チャネル推定ユニット８７０、９７０、位相ローテーション推定器８４０および遅延拡散推定器８６０、９６０を信号処理フローチェーンの一部として描いた。本発明の他の実施形態で、１つまたは複数のこれらのブロックを信号処理フローチェーンに（に適するように種々のブロックに接続し）相並んで実装することができる。
【０１２８】
ディジタル信号プロセッサ（ＤＳＰ）、中央処理ユニット（ＣＰＵ）、共有プロセッサユニットのようなＯＦＤＭ受信機に関連するか、または統合する汎用回路により、または例えばアプリケーション専用集積回路（ＡＳＩＣ）のような専用回路により、説明する本発明の実施形態およびその等価物を実行することができる。
【０１２９】
本発明の実施形態の何れかに従う回路を有するか、または方法を実行する受信機を含む電子装置内において、本発明を実施することができる。電子装置でありうるのは、例えば携帯またはハンドヘルド移動無線通信装置、移動無線端末、移動電話機、ペイジャー、コミュニケータ、電子オーガナイザ、スマートフォン、コンピュータ、埋め込み駆動装置、移動ゲームデバイス、または（腕）時計である。電子装置はあるいは通信システムの基地局でありうる。
【０１３０】
図１０は無線リンク１０２０を通じて基地局サイト１０３０に接続する移動端末例１０１０を示す。基地局サイト１０３０は１本または複数本のアンテナ１０３５および少なくとも１局の基地局１０４０を含む。基地局１０４０および移動端末１０１０またはそのいずれか一方は、本発明の実施形態に従い遅延拡散推定を計算するようにすることができる。
【０１３１】
移動端末１０１０を概要前面図の移動電話機として示す。この移動端末例１０１０は装置容器上に搭載するアンテナ１０１１を含む。あるいは移動端末１０１０は装置容器内に搭載する内部アンテナを有することができる。移動端末１０１０は複数本のアンテナさえも含むことができる。移動端末１０１０がさらに含むのは、ディスプレイ、キーパッド、拡声器およびマイクロフォンであり、これらは共に移動端末１０１０を動作させるマン−マシーンインタフェースを提供する。
【０１３２】
移動端末例１０１０は無線基地局１０４０への無線リンク１０２０を介して移動通信ネットワークに接続される。このため移動端末１０１０のユーザは、音声呼、データ呼、ビデオ呼およびファックス伝送のような従来の回線交換通信サービスと、電子メッセージングと、ＶｏＩＰと、インターネットブラウジングと、電子商取引、あるいはそれらの少なくともいずれかなどのようなパケットベースサービスを使用することができる。このため移動端末１０１０および基地局１０４０は少なくとも１つの移動通信規格、例えばＵＭＴＳ  ＬＴＥに準拠するであろう。あるいはまたはさらに移動端末１０１０はディジタル・ブロードキャスト・システムに接続し、ＤＶＢ−ＨまたはＤＡＢのようなディジタルブロードキャストの少なくとも１つの規格に従い信号を受信するようにすることができる。
【０１３３】
本発明の幾つかの実施形態に従い、コンピュータプログラム製品は例えばディスケットまたはＣＤ−ＲＯＭのようなコンピュータの読むことができる媒体を含む。コンピュータの読むことができる媒体はその上にプログラム命令を含むコンピュータプログラムを蓄積している。コンピュータプログラムはデータ処理ユニットにロード可能でありえ、データ処理ユニットは例えば基地局１０４０および移動端末１０１０またはそのいずれかに含むことができる。データ処理ユニットにロードする場合、コンピュータプログラムはデータ処理ユニットに関連するか、またはデータ処理ユニットに統合するメモリに蓄積することができる。データ処理ユニットにロードし、データ処理ユニットにより実行する場合、幾つかの実施形態に従いコンピュータプログラムは例えば図６および図７に示す方法に従う方法のステップをデータ処理ユニットに実行させることができる。
【０１３４】
本発明の幾つかの実施形態の１つの利点はＦＦＴウインドウの位置をチャネルの遅延拡散に見合うように調整することができることである。
【０１３５】
本発明の幾つかの実施形態の追加の利点はＦＦＴウインドウの位置を推定周波数依存位相ローテーションに基づき調整することができることである。
【０１３６】
本発明の実施形態の幾つかのさらなる利点はＦＦＴウインドウの長さをチャネルの推定遅延拡散に基づき調整し、受信信号の処理により多くの信号エネルギーを使用しうるようにすることができることである。
【０１３７】
本発明の実施形態の幾つかのさらなる利点はＦＦＴウインドウの形をチャネルの推定遅延拡散に基づき調整することができることである。
【０１３８】
本発明の幾つかの実施形態の他の利点は低複雑度実装および堅牢性である。特に、時間分散および雑音並びにＦＦＴウインドウの劣るまたは誤った開始位置に対する堅牢性を達成する。さらに本発明の実施形態は推定誤りに対する堅牢性を提供する。
【０１３９】
本発明の幾つかの実施形態のさらなる利点は幾つかの実施形態がＦＦＴウインドウの正確な位置決めを提供することである。
【０１４０】
本発明の実施形態の別の利点は実施形態が低複雑度チャネル推定を提供することである。
【０１４１】
本明細書では種々の実施形態を参照して本発明を説明した。しかしながら当業者は説明する実施形態に対しなお本発明の範囲内に入るであろう多くの変形を認識するであろう。例えば本明細書に記載する方法の実施形態は一定の順序で実行する方法のステップによる方法例を説明する。しかしながら認識されるのは、これらのイベントシーケンスは本発明の範囲を逸脱することなく別の順序で生じうることである。さらに幾つかの方法のステップはシーケンスに実行するように記述したとしても並列に実行することができる。
【０１４２】
同様に注記すべきは、本発明の実施形態の説明における特定のユニットへの機能ブロックの分割は決して本発明への限定ではないことである。逆にこれらの分割は単に例にすぎない。１つのユニットとして本明細書に記載する機能ブロックは２つまたはそれ以上のユニットに分割することができる。同様に２つまたはそれ以上のユニットとして実装するように本明細書に記載する機能ブロックは本発明の範囲を逸脱することなく単一ユニットとして実装することができる。
【０１４３】
このため理解すべきは、記述する実施形態の限定は単に説明のためであり、決して制限するものではないことである。代わって添付する特許請求の範囲および特許請求の範囲の全ての妥当な等価物により本発明は制限されると考える。
【図１】
2011507323.tif 000003
【図２】
2011507323.tif 000004
【図３】
2011507323.tif 000005
【図４】
2011507323.tif 000006
【図５】
2011507323.tif 000007
【図６】
2011507323.tif 000008
【図７】
2011507323.tif 000009
【図８】
2011507323.tif 000010
【図９】
2011507323.tif 000011
【図１０】
2011507323.tif 000012
【国際調査報告】
2011507323.tif 000013
2011507323.tif 000014
2011507323.tif 000015